(57)【要約】  【課題】ごく簡単な構造ながらロッキング機能を有する椅子を提供する。  【手段】座１と背もたれ２とは一体に連結されている。座１の左右両側には前足部６と梁状部７とを有するメインフレームが配置されており、梁状部７の後端に背もたれ２が取付けられている。座１の前後中途部は側面視で前傾姿勢の補助支持部１０によって支持されている。前足部６と梁状部７とはその弾性に抗して撓み変形し、その撓み変形によって背もたれ２のロッキング機能が付与される。また、補助支持部１０で座２が支持されているため、前足部６及び梁状部７に過大な曲げ力が掛かることはなく、安全性も確保できる。【選択図】        図２
2006239079.tif 000002
【特許請求の範囲】
【請求項１】
座及び背もたれと、これらを支持するフレーム構造体とを備えており、前記フレーム構造体は、座及び背もたれを安定的に支持するためのベース部と、ベース部の前端部から立ち上がって片持ち梁の状態で座と背もたれとを支持するメインフレームとを備えており、メインフレームが撓み変形することによって背もたれの後傾動が許容されており、更に、背もたれの後傾動を許容しつつ座又は背もたれを下方から支持する補助支持部を備えている、
椅子。
【請求項２】
前記座の後端と背もたれの下端とは一体に繋がっており、これら座と背もたれとの連結部か又は背もたれのうちその下部に屈曲許容部を形成することにより、背もたれの全体又は大部分が座に対して相対的に後傾動することが許容されている一方、
前記フレーム構造体のメインフレームは、前記ベース部の前端から略上向きに立ち上がって座よりも上方に延びる側面視後傾姿勢の前足部と、この前足部の上端から後方に延びて背もたれの背面に回り込む梁状部とを備えており、前記梁状部の後端に背もたれを取付けており、更に、前記補助支持部はベース部の後端から側面視で前傾姿勢で上向きに延びており、補助支持部の上端で座を下方から支持している、
請求項１に記載した椅子。
【発明の詳細な説明】
【技術分野】
【０００１】
本願発明は、ロッキング機能を有する椅子に関するものである。
【背景技術】
【０００２】
座と背もたれとを棒材やパイプ材で構成されたフレーム構造体によって支持して成る椅子において、フレーム構造体の弾性変形を利用して背もたれの後傾動を許容することが行われている。その例が特許文献１に記載されている。
【０００３】
すなわち、この特許文献１の椅子において、フレーム構造体は、床に載る前後長手の左右の下水平部と、下水平部の前端から上向きに立ち上がった左右前足部と、左右足部の上端から後方に延びる上水平部と、ベース部の後端から立ち上がった左右後足部とを備えており、左右の上水平部に座を取付けると共に、左右の上水平部の後端を上向きに立ち上げて下横長部にて接続し、この横長部を背もたれの下部背面に連結する一方、左右の後足部の上端は上横長部で接続して上横長部に背もたれの中途高さ部背面に連結しており、主として後足部が弾性に抗して後傾動することによって背もたれを後傾動させている。
【特許文献１】特公平８−１５４４６号公報
【発明の開示】
【発明が解決しようとする課題】
【０００４】
特許文献１のものは、フレーム構造体の弾性変形を利用してロッキング機能を付与できるとは言いつつも、フレーム構造体は複雑な形状に折り曲げなければならないため構造が複雑になりがちである問題があった。また、背もたれの後傾動に連動して座が後傾したり前進したりすると快適さが向上するが、背もたれの後傾動に連動して座は僅かに前進動するに過ぎないため、ロッキング状態での快適さを高めることに限度があった。
【０００５】
他方、例えば実開昭６２−１２９９４７号公報や実開昭６０−４８４２８号公報には、側面視で後ろ向き開口コ字（横向きＵ字状）のフレームで座と背もたれとを支持した椅子が開示されており、このフレームを撓み変形する構造にすると簡単な構造のロッキング椅子を提供できる。しかし、このようにコ字状のフレームではフレームのうち片持ち梁状の上部に人の荷重が作用するため、頑丈な構造にしないと強度を確保することができず、従って、実質的にはロッキング仕様とすることはできないと言える。
【０００６】
本願発明は、このような現状を改善すべく成されたものである。
【課題を解決するための手段】
【０００７】
請求項１の発明に係る椅子は、座及び背もたれと、これらを支持するフレーム構造体とを備えており、前記フレーム構造体は、座及び背もたれを安定的に支持するためのベース部と、ベース部の前端部から立ち上がって片持ち梁の状態で座と背もたれとを支持するメインフレームとを備えており、メインフレームが撓み変形することによって背もたれの後傾動が許容されており、更に、背もたれの後傾動を許容しつつ座又は背もたれを下方から支持する補助支持部を備えている。
【０００８】
請求項２の発明に係る椅子は、請求項１において、先ず、前記座の後端と背もたれの下端とは一体に繋がっており、これら座と背もたれとの連結部か又は背もたれのうちその下部に屈曲許容部を形成することにより、背もたれの全体又は大部分が座に対して相対的に後傾動することが許容されている。
【０００９】
次に、前記フレーム構造体のメインフレームは、前記ベース部の前端から略上向きに立ち上がって座よりも上方に延びる側面視後傾姿勢の前足部と、この前足部の上端から後方に延びて背もたれの背面に回り込む梁状部とを備えており、前記梁状部の後端に背もたれを取付けており、更に、前記補助支持部はベース部の後端から側面視で前傾姿勢で上向きに延びており、補助支持部の上端で座を下方から支持している。
【発明の効果】
【００１０】
本願発明によると、メインフレームの弾性変形を利用して背もたれのロッキング状態を得るものであるため、フレーム構造体の構造はごく簡単であり、また、補助支持部の存在により、メインフレームに過大な曲げ荷重が掛かることを防止できるため、メインフレームが破損するような問題はない。従って、安全性を確保しつつ、簡単な構成で椅子をロッキング仕様とすることができる。
【００１１】
なお、本願発明の補助支持部は本質的に弾性変形しない剛体構造でも良いし、ロッキング時に弾性変形する構成でも良い。ロッキング時に補助支持部が弾性変形する構成にすると、メインフレームの弾性変形と協働して背もたれの後傾角度を大きくすることができる。
【００１２】
請求項２のように構成すると、背もたれの後傾動に連動して座が後傾動又は前進動するため、ロッキング状態での快適さをより向上することができる。
【発明を実施するための最良の形態】
【００１３】
次に、本願発明の実施形態を図面に基づいて説明する。
【００１４】
(1).第１実施形態（図１〜図２）
図１及び図２では第１実施形態を示している。このうち図１（Ａ）は椅子の斜視図であり、この図から理解できるように、椅子は、座１及び背もたれ２とこれを支持するフレーム構造体３とを備えている。
【００１５】
座１の後端と背もたれ２の下端とは一体に繋がっている。図２（Ａ）は椅子の縦断側面図であり、この図に示すように、座板１及び背もたれ２はそれぞれシェル板（座板，背板）１ａ，２ａにクッション１ｂ，２ｂを張った構造になっている。勿論、クッション１ｂ，２ｂを備えないシェル板１ａ，１ａのみの構成とすることも可能である。
【００１６】
背もたれ２は荷重が作用しない自由状態において全体として後傾しており、かつ、シェル板２ａのうち下部（着座した人の腰が当たる程度の高さ位置）を水平状に延びる屈曲許容部４と成し、この屈曲許容部４を挟んで上部の後傾角度を大きくしている。言うまでもないが、背もたれ２は側面視において屈曲許容部４を中心にして屈曲し、その結果、背もたれ２の大部分が座１に対して相対的に後傾動し得る。
【００１７】
屈曲許容部４を構成する手段としては、屈曲許容部４の箇所の曲げ強度を小さくすれば良い。具体的には、水平状の薄肉部を形成したり、水平状の切目又はスリットを形成したりすれば良い。屈曲許容部４を挟んだ上下においてシェル板２ｂを分断することも可能である。或いは、背もたれを上下２つの部材に分離構成して、これらをピン（軸）や蝶番で連結することも可能である。更に、座１のシェル板１ａと背もたれ２のシェル板２ａとの連設部を弱化部と成したりピン連結部と成すことにより、座１と背もたれ２との連設部を屈曲させることも可能である。
【００１８】
フレーム構造体３は鋼の丸棒材から成っており、前後長手の左右ベース部５と、ベース部５の前端から立ち上がった座１よりも上方まで延びる側面視後傾姿勢の左右前足部６と、前足部６の上端から後方に延びる左右の梁状部７とを備えており、左右の梁状部７の後端は背もたれ２の後部背面に回り込んだ横長部７ａに形成されている。
【００１９】
前足部６と梁状部７とで請求項に記載したメインフレームが構成されており、梁状部７には肘当て８を取付けることができる。左右前足部６は座１よりもやや下方の位置において前部補強ステー９で連結されている。そして、ベース部５の後端には側面視で前傾姿勢のフレーム状の補助支持部（補助フレームと言っても良い）１０を折り曲げ形成しており、左右の補助支持部１０の上端に横長部１０ａを折り曲げ形成し、横長部１０ａを座１の下面に取付けている。
【００２０】
本実施形態では補助支持部１０はその弾性に抗して手前側に倒れ回動するように設定しているが、補助支持部１０を全く又は殆ど弾性変形しない構造とする場合は、図１に一点鎖線で示すようにつっかい棒状のバー１１を設けたらよい。図１に示すように、左右のベース部５を補強フレーム１２で連結しても良い。
【００２１】
梁状部７及び補助支持部１０の横長部７ａ，１０ａは背もたれ２の背面に取付けられている。これら横長部７ａ，１０ａの取付け手段としては、図２（Ｂ）に示すように、横長部７ａ，１０ａに嵌まるホルダー部材１４をビス１５でシェル板１ａ，１ｂに固定したり、図２（Ｃ）に示すように、横長部７ａ，１０ａに外側から重なる押さえ部材１６を介してビス１５で固定したり、図２（Ｄ）に示すように、シェル板１ａ，２ａに形成したボス部１７に押さえ板１８で押さえ保持したりというように、様々の方法を採用できる。各横長部７ａ，１０ａは、シェル板１ａ，２ａに対して相対回転可能な状態で取付けても良い。
【００２２】
以上の構成において、着座した人が背もたれ２に凭れ掛かると、図２（Ａ）に一点鎖線で示すように、前足部６と梁状部７とから成るメインフレームがその弾性に抗して後傾動し、かつ、補助支持部１０がその下端を中心にして手前側に回動することにより、背もたれ２は後傾動しつつ座１は前進動しつつ下降動する。
【００２３】
このため、単純な構造のフレーム構造体３でありながら、快適なリラックス状態を実現できる。また、座２が下方から補助支持部１０で支持されているため、前足部６及び梁状部７が限度以上に変形することはなく、このため過大な荷重によってメインフレームが曲がり変形したり破損したりすることはない。
【００２４】
本願実施形態のようにロッキング時に補助支持部１０が前傾動すると、ロッキング時に座１が下降するが、下降位置は前部補強ステー９によって規制され、座２が前部補強ステー９に当接した後も背もたれ２が後傾する場合は、座２はその上部が上向きとなるように傾動する（このため、身体に対するフィット感が高くなる。）。
【００２５】
補助支持部１０が前傾動する場合及びしない場合の何れにおいても、座１を補助支持部１０の上端に対して相対的に前後動し得る状態に取付けることが可能である。このように構成すると、背もたれ２の後傾動に連動して座１が前進動することが助長されて、より快適なロッキング姿勢を得ることができる。
【００２６】
(2).第２〜３実施形態（図３）
図３（Ａ）では第２実施形態を示している。この実施形態では、フレーム構造体３の左右前足部６に固定した前部補強ステー９によって座１の前部を移動可能に支持している一方、補助支持部１０の上端に背もたれ２のうち屈曲許容部４よりも僅かに上部の位置を取付けている。この実施形態では、背もたれ２の後傾動に連動して座１は前進しつつ後傾動する。
【００２７】
この実施形態において、前部補強ステー９で座１を支持することに代えて又はこれに加えて、二点鎖線で示すように、前倒れ回動可能な座支柱２０で座１を支持することも可能である。言うまでもないが、座支柱２０はその弾性に抗して前傾動し得る。
【００２８】
図３（Ｂ）に示す第３実施形態では、補助支持部１０は基本的に剛体構造になっており、フレーム構造体３の梁状部７から垂下した座支持フレーム２１で座１の前後中途部を吊支している。この実施形態では、背もたれ２は補助支持部１０の上端を中心にして後傾動し、座１は前進動する。座支持フレーム２１は振り子状に形成されていて軽い力で前後揺動するため、背もたれ２の後傾動に連動して座１を的確に前進動させることができる。なお、フレーム構造体３のベース部５にはキャスター２２を設けても良い。
【００２９】
(3).第４〜第６実施形態（図４）
図４では第４〜第６実施形態を示している。（Ａ）（Ｂ）に示すのは第４実施形態であり、（Ａ）は概略側面図、（Ｂ）は概略正面図である。この実施形態は第１実施形態の変形例であり、第１実施形態との相違点は、座１を前後２つの部材に分離構成して（或いは前後中途部において屈曲するように構成して）、前後のパーツを蝶番やピンで回動可能に連結することにより、手前側の部分を跳ね上げ回動できるようにした点である。
【００３０】
このように構成すると、複数の椅子を前後に嵌まり合った状態にスタッキングすることが可能になる（但し、前足部６とベース部５と補助支持部１０とからなる脚部は平面視でハ字状の形態にする必要がある。）。
【００３１】
（Ｃ）（Ｄ）に示すのは第５実施形態であり、（Ｃ）は概略側面図、（Ｄ）は概略正面図である。この実施形態は、脚装置２２によってフレーム構造体３を支持したもので、脚装置２２は４本の足部２２ａを備えた４本足方式になっており、脚装置２２の上端には支基ベース２３を設けている。そして、支基ベース２３に前足部６を固着し、更に、座１は、支基ベース２３に設けたガイドローラ等の補助支持部２４によって前進動可能に支持されている。
【００３２】
この場合は、補助支持部２４は前後２カ所に配置しているが、１カ所のみに配置しても良い。また、この実施形態でも座１のうち手前寄りの広い範囲は後方に跳ね上げ回動できるようになっている。また、前部の左右足部２２ａの間隔と後部の左右足部２２ａとの間隔は相違しており、かつ、梁状部７は側面視で緩く後傾しており、このため、座１を跳ね上げ回動すると複数の椅子を前後に嵌め合わせた状態にスタッキングすることができる。
【００３３】
（Ｅ）（Ｆ）に示すのは第６実施形態であり、（Ｅ）は概略側面図、（Ｆ）は概略正面図である。この実施形態は基本的には第５実施形態と同じであり、第５実施形態との大きな相違点は、脚装置２２がガスシリンダ２５と放射状の枝杆２６とを有する形式であるという点である。各枝杆２６の先端にはキャスター２７を設けている。また、補助支持部２４は棒材やパイプを折り曲げて形成されている。この実施形態ではスタッキング機能はなく、座１は跳ね上げ回動式にはなっている（勿論、スタッキングタイプと成すことは可能である）。
【００３４】
(4).第７実施形態（図５）
図５では第７実施形態を示している。この実施形態では、フレーム構造体３の梁状部７は座１の下方に位置しており、座１は、梁状部７に対して相対的に前後動可能でかつ上下ずれ不能に取付けられている。また、補助支持部１０の上端は座１に対して相対的に前後動可能である。
【００３５】
着座した人が背もたれ２に凭れ掛かると、背もたれ２は沈みながら後傾しつつ座１は後傾しつつ前進動する。背もたれ２と座１の動きは、フレーム状の補助支持部１０の上端が座１の下面に設けたストッパー２８に当たることによって規制される。
【００３６】
(5).その他
本願発明は、上記の実施形態の他にも様々に具体化することができ。例えばフレーム構造体の素材は棒材に限らず、金属パイプ製としたり樹脂製としたりすることも可能である。メインフレームは、前足部と梁状部との境界が曖昧な側面視円弧状に形成することも可能である。
【００３７】
また、座の後端と背もたれの下端とを連続させる場合、必ずしも左右全長にわたって連結する必要はなく、左右方向に沿って飛び飛びの状態て連結してもよい。また、座と背もたれとを別々に製造して、他の連結具によって連結しても良いのである。
【図面の簡単な説明】
【００３８】
【図１】第１実施形態を示す斜視図である。
【図２】第１実施形態を示す図である。
【図３】第２実施形態及び第３実施形態を示す図である。
【図４】第４〜６実施形態を示す図である。
【図５】第７実施形態を示す図である。
【符号の説明】
【００３９】
１  座
２  背もたれ
３  フレーム構造体
４  屈曲許容部
５  ベース部
６  メインフレームを構成する前足部
７  メインフレームを構成する梁状部
１０  補助支持部
【図１】
2006239079.tif 000003
【図２】
2006239079.tif 000004
【図３】
2006239079.tif 000005
【図４】
2006239079.tif 000006
【図５】
2006239079.tif 000007